(57)【特許請求の範囲】
【請求項１】
摺動キャリパとして形成されていて、不動のブレーキ支持体（３）に取り付けられた、ブレーキディスク（２）を跨ぐブレーキキャリパ（１）と、
前記ブレーキキャリパ（１）内に配置されていて、それぞれ１つのライニング支持プレート（５）と、該ライニング支持プレート（５）に固定された摩擦ライニング（６）とを有する、互いに逆方向に運動可能な２つのブレーキパッド（４）であって、両ブレーキパッド（４）のうち、作用側のブレーキパッドは、作動装置によって少なくとも１つのブレーキピストンを介して前記ブレーキディスク（２）に向かって押圧可能である、ブレーキパッド（４）と、
前記ブレーキキャリパ（１）を制動に起因して移動させ、ブレーキを解除した後に戻すことができる少なくとも１つの戻し装置（７）と
を備える、商用車用のディスクブレーキにおいて、
前記戻し装置（７）は、前記ブレーキパッドの各作動方向と逆方向にばね荷重を加えた状態で該ブレーキパッドに接触している少なくとも２つのロッドを有し、
前記ロッドのうち、一方のロッドはプルロッド（９）として形成されており、他方のロッドはプッシュロッド（１０）として形成されており、前記プルロッドと前記プッシュロッドは、各々が引張りばねまたは圧縮ばねと相互作用関係にあって、各々機能ユニットを構成し、該各機能ユニットはハウジング（８）内に支持されていることを特徴とする、商用車用のディスクブレーキ。
【請求項２】
前記プルロッド（９）と前記プッシュロッド（１０）とは、それぞれの前記ブレーキパッド（４）の前記ライニング支持プレート（５）に接触していることを特徴とする、請求項１記載のディスクブレーキ。
【請求項３】
前記プルロッド（９）が、作用側の前記ブレーキパッド（４）の前記ライニング支持プレート（５）に保持されているのに対して、前記プッシュロッド（１０）は、反作用側のブレーキパッド（４）の前記ライニング支持プレート（５）に支持されていることを特徴とする、請求項１または２記載のディスクブレーキ。
【請求項４】
前記プルロッド（９）と前記プッシュロッド（１０）とは、前記ライニング支持プレート（５）の、前記ブレーキパッド（４）のそれぞれの前記摩擦ライニング（６）側の面に接触していることを特徴とする、請求項１から３いずれか１項記載のディスクブレーキ。
【請求項５】
前記引張ばねまたは前記圧縮ばね（１１）は、コイルばねとして形成されていて、前記プルロッド（９）と前記プッシュロッド（１０）とに部分的にガイドされていることを特徴とする、請求項１から４いずれか１項記載のディスクブレーキ。
【請求項６】
前記ハウジング（８）は前記ブレーキキャリパ（１）内に位置決めされていることを特徴とする、請求項１から５いずれか１項記載のディスクブレーキ。
【請求項７】
前記引張ばねまたは前記圧縮ばね（１１）は互いに同一であることを特徴とする、請求項１から６いずれか１項記載のディスクブレーキ。
【請求項８】
前記プルロッド（９）と前記プッシュロッド（１０）とは互いに軸線平行に延在していることを特徴とする、請求項１から７いずれか１項記載のディスクブレーキ。
【請求項９】
前記プルロッド（９）は一方の端部に、前記ライニング支持プレート（５）に接触している駆動部（１２）を有することを特徴とする、請求項１から８いずれか１項記載のディスクブレーキ。
【請求項１０】
前記プルロッド（９）は、前記駆動部（１２）と反対の端部側に駆動リング（１３）を有し、該駆動リング（１３）に圧縮ばね（１１）が接触しており、該圧縮ばね（１１）は、他方でハウジング壁に支持されていることを特徴とする、請求項９記載のディスクブレーキ。
【請求項１１】
前記プッシュロッド（１０）は、少なくとも部分的に周方向に延在するストッパ（１４）を有し、該ストッパ（１４）に前記圧縮ばね（１１）が一方の端部で接触しているのに対して、他方の端部は、前記ハウジング（８）の基部に支持されていることを特徴とする、請求項１から６いずれか１項記載のディスクブレーキ。
【発明の詳細な説明】
【技術分野】
【０００１】
本発明は、請求項１の前提部に記載の商用車用のディスクブレーキに関する。
【背景技術】
【０００２】
冒頭に記載した、摺動キャリパ型ブレーキとしても公知のディスクブレーキでは、制動の際、空気圧または電動モータにより操作可能な作動装置によって、作用側のブレーキパッドが車両側のブレーキディスクに向かって押圧される。制動動作の続く過程では、ブレーキキャリパが、ブレーキディスクに関して、作用側のブレーキパッドの作動方向と逆方向に移動させられて、反対側に位置する反作用側のブレーキパッドを駆動し、このブレーキパッドをブレーキディスクの他方の面に押し付ける。
【０００３】
公知のディスクブレーキでは、ブレーキを解除した後、両ブレーキパッドのうちの少なくとも反作用側のブレーキパッドがブレーキディスクに、確かに無圧ではあるものの引きずり接触している位置に、ブレーキキャリパがとどまっている。これにより走行運転中に生じるブレーキパッドの残留引きずりトルクが不都合な結果を招くことになり、燃料消費量を増加させ、関与し合う構成部材、つまり、ブレーキディスクおよびブレーキパッドの寿命を縮めてしまう。
【０００４】
確かに、走行運転中、例えばブレーキディスクの横振れや振動およびカーブ走行時の横方向加速によって、ブレーキパッドの僅かな離反は生じる。しかしながら、これらの作用は、前述した残留引きずりトルクを有効に阻止するために十分であるとは云えない。
【０００５】
この問題に対処するために、冒頭に記載した特許文献１には、戻し装置を備えたディスクブレーキが開示されている。戻し装置は、ブレーキキャリパを移動可能にブレーキ支持体に保持する複数のガイドバーのうちの１つに配置されていて、ブレーキキャリパを出発位置に移動させるばね弾性的な戻し要素を有している。
【０００６】
原理的にこの構造は好適であると判った。しかしながら、公知の戻し装置の使用は、重商用車の圧縮空気操作式のディスクブレーキの場合には問題を招いてしまう。なぜならば、特許文献１では、構成部材誤差や構成部材変形による影響の変動が、広い範囲に波及してしまい、これによって、公知の戻し要素の確実な機能がいずれにせよ不可能となってしまうからである。
【０００７】
同様の問題が、特許文献２のなかで主題として扱われているようなディスクブレーキにおいても生じる。このディスクブレーキでは、戻し装置が、作動装置と反対側に位置する反作用側のブレーキパッドの側に配置されている。これによって、ブレーキキャリパの有効な、特に自動的な戻しと同時に、システム剛性への最低限の干渉が達成される。
【０００８】
いずれにせよ、戻し装置はブレーキキャリパに作用する。このとき、ブレーキ支持体はマウンティングブラケットとして機能している。
【先行技術文献】
【特許文献】
【０００９】
【特許文献１】独国特許出願公開第１０２００７００１２１３号明細書
【特許文献２】独国特許出願公開第１０２０１２００６１１１号明細書
【発明の概要】
【発明が解決しようとする課題】
【００１０】
本発明の課題は、冒頭に記載した形態のディスクブレーキを改良して、構造的に最も簡単な手段により、特にブレーキパッドおよびブレーキディスクの寿命を延ばし、運転コストを全体的に減らすことである。
【課題を解決するための手段】
【００１１】
この課題は、請求項１の特徴を有するディスクブレーキによって解決される。
【００１２】
ディスクブレーキの本発明による構成によって、ブレーキを解除した際に両ブレーキパッドの戻しが達成される。このとき、戻し力は、ブレーキディスクに対して間隙を形成しながら、両ブレーキパッドの各作動方向と逆方向に作用する、つまり、反作用側のブレーキパッドではキャリパ背部に向かって作用し、作用側のブレーキパッドではキャリパ頭部に向かって作用する。
【００１３】
両ブレーキパッドへの本発明による戻し装置のロッドの作用は、好適には、両ブレーキパッドのライニング支持プレートにおいて生じ、しかも、このライニング支持プレートに固定された摩擦ライニングの側の面に対して生じる。
【００１４】
戻し時の各ブレーキパッドの引っ掛かりを回避するために、ロッドはそれぞれ対を成して、ブレーキディスクの回転軸線に関して左右でブレーキパッドに、つまり、このブレーキパッドのライニング支持プレートに作用する。
【００１５】
ロッドは、形状安定性の材料、好ましくは金属から成っていて、ほぼ不変の横断面寸法を有して棒状に形成されている。各ロッドに鍔部が一体成形されている点において、「ほぼ不変」と云える。この鍔部は、プルロッドでは駆動部として働き、プッシュロッドではストッパとして働く。
【００１６】
プルロッドの駆動部は、プルロッドの一方の端部に一体成形されていて、作用側のライニング支持プレートにおいて摩擦ライニングの側の面に接触している。
【００１７】
これに対して、プッシュロッドのストッパは、割り当てられたばねに対応していて、ブレーキを解除してブレーキパッドをその出発位置に押し戻す際のばねの弛緩時にプッシュロッドを移動させるために働く。
【００１８】
本発明の有利な改良形態によれば、ロッド対、つまり、プルロッドとプッシュロッドとが、ブレーキキャリパに接してまたはブレーキキャリパ内に配置されたハウジング内に保持されている。このハウジングは、車両側のブレーキ支持体に対して調整可能である。このブレーキ支持体には、摺動キャリパとしてのブレーキキャリパが、やはりブレーキディスクの回転軸線に関して軸線方向に移動可能に支持されている。
【００１９】
また、それぞれ１つのばねに複数のロッド、つまり、複数のプルロッドおよび／またはプッシュロッドを割り当てることも可能である。
【００２０】
戻し装置の製造のコストを最適化するために、ロッドに対して同じ形態のばね、例えば等しいばね特性を有する圧縮ばね、特にコイルばねが設けられている。このコイルばねはロッドにガイドされている。特にプルロッドは引張ばねに結合されてもよい。
【００２１】
有利には、プッシュロッドもしくはプルロッドとブレーキパッドとの間の作用点は、各ブレーキパッドとブレーキ支持体との間の支持力により結果的に生じる抵抗力の近くに位置している。
【００２２】
本発明の別の有利な構成は、従属請求項に記載してある。
【００２３】
以下に、本発明の実施例を添付の図面に基づき説明する。
【図面の簡単な説明】
【００２４】
【図１】本発明による戻し装置を備えたディスクブレーキの一部を抜粋して斜視的に示す図である。
【図２】ディスクブレーキの個別部分の概略的な側断面図である。
【発明を実施するための形態】
【００２５】
図１には、商用車用のディスクブレーキの一部が示してある。このディスクブレーキは、ブレーキディスク２を跨ぐブレーキキャリパ１を備えている。このブレーキキャリパ１は、ブレーキディスク２の回転軸線に関して軸線方向に移動可能に、車両側のブレーキ支持体３、つまり、不動のブレーキ支持体３に接続されている。このために、ブレーキキャリパ１は、ブレーキ支持体３に結合されたガイドバー１６に支持されている。
【００２６】
ブレーキ支持体３には、複数のブレーキパッド４が配置されている。これらのブレーキパッド４は、制動の際に両側からブレーキディスク２に押圧可能である。各ブレーキパッド４は、ライニング支持プレート５と、このライニング支持プレート５の、ブレーキディスク２の側の面に固定された摩擦ライニング６とを有している。この摩擦ライニング６は、機能中、つまり、制動の際、ブレーキディスク２に向かって押圧されている。
【００２７】
制動は、ブレーキキャリパ１内に配置された作動装置（図示せず）によって行われる。この作動装置はブレーキレバーを備えている。このブレーキレバーは、空気圧または電気機械により旋回可能に支持されている。また、ブレーキレバーの操作時には、作用側のブレーキパッドとして割り当てられたブレーキパッド４がブレーキディスク２に接触する。続く過程では、反力の発生によって、ブレーキキャリパ１が逆方向に移動させられ、反作用側のブレーキパッド４を駆動して、このブレーキパッド４を同じくブレーキディスク２に摩擦接触させる。
【００２８】
ブレーキを解除した後には、互いに反対側に位置する両ブレーキパッド４が、戻し装置７によってブレーキディスク２から離反させられ、このブレーキディスク２が、ブレーキパッド４に対して自由に回転する。
【００２９】
図２には、戻し装置７が個別部分として概略的に示してある。この戻し装置７は、本発明によれば、各作動方向と逆方向にばね荷重を加えた状態でブレーキパッド４に接触している２つのロッドを有している。両ロッドのうち、一方のロッドはプッシュロッド１０として形成されており、他方のロッドはプルロッド９として形成されている。
【００３０】
特に図１に極めて明瞭に示したように、プッシュロッド１０がその自由端部でもって反作用側のブレーキパッド４のライニング支持プレート５の縁部に接触しているのに対して、プルロッド９は作用側のブレーキパッド４のライニング支持プレート５に接触している。どちらの場合も、ライニング支持プレート５上に摩擦ライニング６が直面している。
【００３１】
プルロッド９とプッシュロッド１０とにばね荷重を加えるために、コイルばねとして形成されたそれぞれ１つの圧縮ばね１１が設けられている。この圧縮ばね１１は、本例では互いに同一に形成されていて、プルロッド９とプッシュロッド１０とに部分的に巻き付けられている。これらの各機能ユニットは、ブレーキキャリパ１に設けられた収容部内に挿入されたハウジング８内に支持されている。
【００３２】
プルロッド９は一方の端部に鍔部の形態の駆動部１２を有している。この駆動部１２は作用側のライニング支持プレート５に接触している。プルロッド９の他方の端部には、駆動リング１３が固定されている。この駆動リング１３によって、圧縮ばね１１が、軸線方向へのプルロッド９の相応の移動の際に緊縮される。圧縮ばね１１はその他方の端面でもってハウジング８の内壁に支持されている。
【００３３】
プッシュロッド１０は、周方向に延在するストッパ１４を備えている。このストッパ１４が、割り当てられた圧縮ばね１１の一方の端面に接触しているのに対して、圧縮ばね１１の他方の端面は、ハウジング８の基部に支持されている。
【００３４】
図２には、出発位置、つまり、圧縮ばね１１が実質的に弛緩されているディスクブレーキの解除された位置が示してある。制動の際には、ブレーキパッド４が、ブレーキディスク２に摩擦接触するまで、互いに近づく方向に移動させられる。このとき、プルロッド９にガイドされた圧縮ばね１１が緊縮される。このために、駆動リング１３が係合している。プッシュロッド１０にガイドされた圧縮ばね１１も同様に圧縮によって緊縮される。上回るべきばね力は作動力によって容易に加えられる。
【００３５】
ブレーキを解除する際には、プルロッド９とプッシュロッド１０とが、圧縮ばね１１の力によって軸線方向に運動させられ、しかも、プルロッド９が、作用側のブレーキパッド４を駆動する、つまり、引き戻すように運動させられるのに対して、図２の左側に認めることができる反作用側のブレーキパッド４は、プッシュロッド１０によって、図２に示した矢印に相応して、ブレーキディスク２との作用領域から押し出される。
【００３６】
続く過程では、接触して引き続きばね圧下にあるプッシュロッド１０によって、ブレーキキャリパ１が出発位置に移動させられる。
【符号の説明】
【００３７】
１  ブレーキキャリパ
２  ブレーキディスク
３  ブレーキ支持体
４  ブレーキパッド
５  ライニング支持プレート
６  摩擦ライニング
７  戻し装置
８  ハウジング
９  プルロッド
１０  プッシュロッド
１１  圧縮ばね
１２  駆動部
１３  駆動リング
１４  ストッパ
１６  ガイドバー
【図１】
0006596108.tif 000002
【図２】
0006596108.tif 000003